(57)【特許請求の範囲】
【請求項１】
壁パネルの下端部と土台のような家屋構造部との間の水切り構造であって、壁パネルの下端面のパネル厚さ方向の中間部に下方に開放する係入凹所を形成し、水切り部材を表側水切り材と裏側水切り材とに分離し、表側水切り材の上端部を係入凹所に係入するとともに表側水切り材の下端部を家屋構造部の上部の前面に垂下し、裏側水切り材を壁パネルの下端部の背面に沿わせて壁下地に固定し、表裏の水切り材間に断熱材を介装して成ることを特徴とする水切り構造。
【請求項２】
断熱材を硬質材にて形成して表側水切り材及び裏側水切り材を断熱材にビス止めして成ることを特徴とする請求項１記載の水切り構造。
【請求項３】
表側水切り材、家屋構造部及び断熱材にて囲まれる空所に軟質の断熱部材を充填して成ることを特徴とする請求項１又は請求項２記載の水切り構造。
【発明の詳細な説明】
【０００１】
【発明の属する技術分野】
本発明は、水切り構造に関し、詳しくは、屋内側において生じる結露を防止する技術に係るものである。
【０００２】
【従来の技術】
従来、図６に示すように、壁パネル１の下端部と土台２ａのような家屋構造部２との間の水切り構造は、水切り部材４ａが壁パネル１の下端部において土台２ａの前面から壁パネル１の背面にまで延設されて壁下地８に固定されているのである。
【０００３】
【発明が解決しようとする課題】
ところが、このように水切り部材４ａが土台２ａの前面から壁パネル１の背面に至って壁下地８に固定されていると、土台２ａの前面の冷気によって水切り部材４ａが冷却されるとともに熱伝導による、いわゆる、ヒートブリッジによって壁パネル１の背面側の水切り部材４ａ部分も冷却され、屋内側の水切り部材４ａ部分及びその近傍に結露Ｗが生じ、例えば、恒音・低温倉庫等においては結露による被害が生じることが、米穀倉庫等においてあった。
【０００４】
本発明はこのような問題を解消しようとするものであり、屋内側において生じる結露を効果的に防止し、かつ、このような構成を有効に利用して、軟質の断熱部材の充填を良好におこなえる水切り構造を提供することを課題とする。
【０００５】
【課題を解決するための手段】
請求項１においては、壁パネル１の下端部と土台２ａのような家屋構造部２との間の水切り構造であって、壁パネル１の下端面のパネル厚さ方向の中間部に下方に開放する係入凹所３を形成し、水切り部材４を表側水切り材５と裏側水切り材６とに分離し、表側水切り材５の上端部を係入凹所３に係入するとともに表側水切り材５の下端部を家屋構造部２の上部の前面に垂下し、裏側水切り材６を壁パネル１の下端部の背面に沿わせて壁下地８に固定し、表裏の水切り材５，６間に断熱材７を介装して成ることを特徴とするものである。
【０００６】
請求項２においては、断熱材７を硬質材にて形成して表側水切り材５及び裏側水切り材６を断熱材７にビス止めして成ることを特徴とするものである。
請求項３においては、表側水切り材５、家屋構造部２及び断熱材７にて囲まれる空所に軟質の断熱部材９を充填して成ることを特徴とするものである。
（作用）
請求項１においては、壁パネル１の係入凹所３に係入されるとともに土台２ａのような家屋構造部２の前面に垂下している表側水切り材５と、壁パネル１の背面側に沿って壁下地８に固定されている裏側水切り材６とは分離されていて、表裏の水切り材５，６の間の断熱材７によって、表裏の水切り材５，６間の熱伝導を遮断することができ、いわゆる、ヒートブリッジに起因する結露の発生を防止することができ、このことは、屋内外に大きな温度差が生じることになる温度管理された倉庫等において保管する商品の新鮮度を保つことができる。
【０００７】
請求項２においては、表裏の水切り材５，６の相互の位置決めができ、施工性を損なうことがなく、又、ビス止め位置の調整によって、壁下地８に取付けられる壁パネル１等の位置の誤差を吸収することができ、仕上がり性を高めることができる。
請求項３においては、断熱材７がスペーサやバックアップ材となって、軟質の断熱部材９の充填量を軽減でき、かつ、隙間を生じさせることなく確実な充填を容易におこなえる。
【０００８】
【発明の実施の形態】
本発明の実施の形態を図面に基づいて詳述する。
図１は本発明の水切り構造を示す概略破断斜視図、図２は壁パネル１，１の接続状態を示す一部破断した側面図、図３は水切り部材の断面図を示し、同図（ａ）は端面図、同図（ｂ）は平面図、同図（ｃ）は底面図である。図５は表側水切り材を示し、同図（ａ）は正面図、同図（ｂ）は背面図である。
【０００９】
図２に示すように、壁パネル１は、表裏の金属板の外皮１０，１１間に断熱部材１２を介装したものであり、壁パネル１の上端部には嵌合凹部１３を、下端部には嵌合凸部１４を形成して壁パネル１，１を上下に凹凸嵌合させて接続することができるようにしている。
嵌合凹部１３の下方の表部には壁パネル１の表面よりやや凹入して釘打部１５を形成して壁下地８にボルト１６にて取付けることができるようにしている。壁パネル１の下端に下位の壁パネル１の上端部の釘打部１５を覆う覆い片１７を垂下して釘打部１５を覆ってボルト１６を隠すようにしている。覆い片１７の背部が係入凹所３になっていて、係入凹所３が壁パネル１の下端面のパネル厚さ方向の中間部に下方に開放して形成されている。
【００１０】
図１は最も下端の壁パネル１と家屋構造部２としての土台２ａとの間の水切り構造を示している。
水切り部材４は、表側水切り材５と裏側水切り材６とで構成している。表側水切り材５は表面片５ａ、傾斜板片５ｂ、起立片５ｃ、係入片５ｄ及び弧状の折り返し片５ｅなどから構成してあり、係入片５ｄ及び折り返し片５ｅを壁パネル１の係入凹所３に係入するものである。裏側水切り材６は水平片６ａ、起立片６ｂを略Ｌ形に曲げて起立片６ｂを壁下地８に取付けるものである。表側水切り材５と裏側水切り材６との間には断熱材７をビス１８にて取付けている。断熱材７は木製又は硬質ウレタンなどの硬質でビス１８のねじ込みが可能なものであればよい。
【００１１】
しかして、壁下地８に裏側水切り材６をセルフドリリングスクリュウーボルトのような固定具１９にて固定して水切り部材４を壁下地８に固定する。断熱材７及び折り返し片５ｅの上に壁パネル１を載置して覆い片１７と傾斜片５ｂとの間にコーキング剤２０を充填し、又、表側水切り材５の下端の水返し片５ｆと土台２ａ側のモルタル２１との間にコーキング剤２０を充填する。又、屋内側から軟質の断熱部材９を充填する。軟質の断熱部材９は例えばスプレー手段にて軟質発泡ウレタンを注入して発泡充填させるものであり、噴射後、数秒で固まるものが市販されている。
【００１２】
このような構成によれば、壁パネル１の係入凹所３に係入されるとともに土台２ａの前面に垂下している表側水切り材５と、壁パネル１の背面側に沿って壁下地８に固定されている裏側水切り材６とは分離されているのであり、表裏の水切り材５，６の間の断熱材７によって、表裏の水切り材５，６間の熱伝導を遮断するのであり、ヒートブリッジに起因する結露の発生を防止することができ、このことは、屋内外に大きな温度差が生じていてもよく、例えば、倉庫に実施する場合に、保管する商品の新鮮度を保つことができるのである。
【００１３】
ところで、断熱材７には表側水切り材５と裏側水切り材６とをビス１８にて固定していて、表裏の水切り材５，６の相互の位置決めができるのであり、分離したといえども施工性を損なうことがない。又、ビス止め位置の調整によって、壁下地８に取付けられる壁パネル１の位置の誤差を吸収することができるのであり、仕上がり性を高めることができるのである。
【００１４】
更に、屋内側から軟質の断熱部材９の充填をおこなうのに際して、断熱材７がスペーサやバックアップ材となって、軟質の断熱部材９の充填量を軽減でき、かつ、隙間を生じさせることなく確実な充填を容易におこなえるのである。
尚、家屋構造部２は土台２ａに代えてサッシでもよい。
【００１５】
【発明の効果】
請求項１においては、壁パネルの下端面のパネル厚さ方向の中間部に下方に開放する係入凹所を形成し、水切り部材を表側水切り材と裏側水切り材とに分離し、表側水切り材の上端部を係入凹所に係入するとともに表側水切り材の下端部を土台のような家屋構造部の上部の前面に垂下し、裏側水切り材を壁パネルの下端部の背面に沿わせて壁下地に固定し、表裏の水切り材間に断熱材を介装してあるから、壁パネルの係入凹所に係入されるとともに土台のような家屋構造部の前面に垂下している表側水切り材と、壁パネルの背面側に沿って壁下地に固定されている裏側水切り材とは分離されていて、表裏の水切り材の間の断熱材によって、表裏の水切り材間の熱伝導を遮断することができ、いわゆる、ヒートブリッジに起因する結露の発生を防止することができ、このことは、屋内外に大きな温度差が生じていてもよく、例えば、倉庫に実施する場合に、保管する商品の新鮮度を保つことができるという利点がある。
【００１６】
請求項２においては、断熱材を硬質材にて形成して表側水切り材及び裏側水切り材を断熱材にビス止めしてあるから、表裏の水切り材の相互の位置決めができ、施工性を損なうことがなく、又、ビス止め位置の調整によって、壁下地に取付けられる壁パネル等の位置の誤差を吸収することができ、仕上がり性を高めることができるという利点がある。
【００１７】
請求項３においては、表側水切り材、土台及び断熱材にて囲まれる空所に軟質の断熱部材を充填してあるから、断熱材がスペーサやバックアップ材となって、軟質の断熱部材の充填量を軽減でき、かつ、隙間を生じさせることなく確実な充填を容易におこなえるという利点がある。
【図面の簡単な説明】
【図１】本発明の実施の一形態を示す破断した概略斜視図である。
【図２】同上の壁パネルの接続状態を示す一部破断した側面図である。
【図３】同上の水切り部材の断面図である。
【図４】同上の表側水切り材を示し、（ａ）は長さ方向の端部の端面図、（ｂ）は平面図、（ｃ）は底面図である。
【図５】同上の表側水切り材を示し、（ａ）は正面図、（ｂ）は背面図である。
【図６】従来例の断面図である。
【符号の説明】
１    壁パネル
２    家屋構造部
２ａ  土台
３    係入凹所
４    水切り部材
５    表側水切り材
６    裏側水切り材
７    断熱材
８    壁下地
９    軟質の断熱部材
【図１】
0003796043.tif 000002
【図２】
0003796043.tif 000003
【図３】
0003796043.tif 000004
【図４】
0003796043.tif 000005
【図５】
0003796043.tif 000006
【図６】
0003796043.tif 000007